(57)【要約】【課題】研磨スラリの供給が阻害されたり、供給された研磨スラリが逆流することなく、安定した研磨スラリの供給を可能としたガラス物品の研磨方法および研磨装置を提供することを目的とする。【解決手段】中空部１４を有する回転軸１１と、回転軸１１に連結され中空部１４に連通する貫通孔１５を有して回転軸１１と一体回転する研磨ヘッド１２と、回転軸１１の中空部内１４に非回転状態に設けられた研磨スラリ供給管１９と、研磨ペレット１３とを具備する研磨装置を使用し、パネルガラス１６の表面に回転する研磨ヘッド１２の研磨ペレット１３を所定の圧力で当接・摺動させ、回転軸１１の中空部内１４の研磨スラリ供給管１９及び貫通孔１５を通じて研磨ペレット１３とパネルガラス１６との当接面１７に研磨スラリ１８を供給しながらパネルガラス１６を研磨するガラス物品の研磨方法および研磨装置。【選択図】          図１
2004188537.tif 000002
【特許請求の範囲】
【請求項１】
中空部を有して軸周りに回転する回転軸と、該回転軸に連結され中空部に連通する貫通孔を有して回転軸と一体回転する研磨ヘッドと、該研磨ヘッドに取り付けられた研磨ペレットとを具備する研磨装置を使用し、ガラス物品の表面に回転する研磨ヘッドの研磨ペレットを所定の圧力で当接・摺動させ、回転軸の中空部および研磨ヘッドの貫通孔を通じて研磨ペレットとガラス物品との当接面に研磨スラリを供給しながらガラス物品を研磨するガラス物品の研磨方法において、
前記回転軸の中空部内に、非回転状態に設けられた研磨スラリ供給管を通じて研磨ペレットとガラス物品との当接面に研磨スラリを供給することを特徴とするガラス物品の研磨方法。
【請求項２】
中空部を有して軸周りに回転する回転軸と、該回転軸に連結され中空部に連通する貫通孔を有して回転軸と一体回転する研磨ヘッドと、該研磨ヘッドに取り付けられた研磨ペレットとを具備し、ガラス物品の表面に研磨ペレットを所定の圧力で当接・摺動させ、回転軸の中空部および研磨ヘッドの貫通孔を通じて研磨ペレットとガラス物品との当接面に研磨スラリを供給しながらガラス物品を研磨するガラス物品の研磨装置において、
前記回転軸の中空部内に非回転状態に取り付けられ、一端が開口し、他端が研磨スラリ供給源に連通する研磨スラリ供給管を設けてなることを特徴とするガラス物品の研磨装置。
【請求項３】
研磨スラリ供給管が、回転軸の中空部に軸受けを介して非回転状態に内嵌されていることを特徴とする請求項２に記載のガラス物品の研磨装置。
【発明の詳細な説明】
【０００１】
【発明の属する技術分野】
本発明は、ガラス物品を研磨する研磨方法および研磨装置に関し、特に、陰極線管用パネルガラスの表面研磨に適した研磨方法および研磨装置に関する。
【０００２】
【従来の技術】
ガラス物品の研磨においては、回転軸に連結され、回転軸と一体回転する研磨ヘッドに取り付けられた研磨ペレットを、ガラス物品の表面に所定の圧力で当接・摺動させて、研磨ペレットとガラス物品との当接面に研磨材（例えばアランダム、パーミス、酸化セリウム等）を水と混合してスラリ状にした研磨スラリを供給しながらガラス物品を研磨することが行われている。
【０００３】
ガラス物品の研磨装置における研磨スラリの供給手段としては、研磨ヘッドの外側から供給するようにしたものがあるが、このような場合、研磨スラリが研磨ペレットとガラス物品との当接面に全て供給されるとは限らず、研磨スラリの一部が回転する研磨ペレットにより掻き出されて研磨に関与しないため研磨スラリの無駄が発生する。それのみならず研磨ペレットとガラス物品との当接面に研磨スラリが十分に行き渡らず、研磨ムラなどの品質欠陥が発生しやすくなる。
【０００４】
この対策として、例えば、特許文献１〜３にあるように、中空部を有し軸周りに回転する回転軸に連結され、回転軸の中空部に連通する貫通孔を有し回転軸と一体回転する研磨ヘッドに取り付けられた研磨ペレットを、ガラス物品の表面に所定の圧力で当接させて摺動し、研磨ペレットとガラス物品との当接面に研磨スラリを供給しながらガラス物品を研磨するガラス物品の研磨装置における研磨スラリ供給装置が提案されている。
【０００５】
【特許文献１】
特開昭５２−５８１９２号公報（第２頁、第３図）
【特許文献２】
特開平１０−１５１５５７号公報（第３−４頁、第１図）
【特許文献３】
特開２００１−９６４４８号公報（第３−４頁、第１図）
【０００６】
具体的に説明すると、図２に示すように、中空部１を有し軸周りに回転する回転軸２に連結され、回転軸２の中空部１に連通する貫通孔３を有し回転軸２と一体回転する研磨ヘッド４に取り付けられた研磨ペレット５を、パネルガラス６の表面に所定の圧力で当接させて摺動させ、回転軸２の中空部１および該中空部１に連通した研磨ヘッド４の貫通孔３を通じて研磨ペレット５とパネルガラス６との当接面７に、研磨スラリ８を圧送あるいは自然流下により供給している。
【０００７】
このような方法では、研磨スラリ８が研磨ヘッド４の略中央からパネルガラス６の表面に略均等に供給されるため、研磨ヘッド４の外側からパネルガラス６の表面に研磨スラリ８を供給する方法に比べ、研磨スラリ８が研磨ペレット５とパネルガラス６との当接面７に円滑に供給されて研磨状態が安定するとともに、供給された研磨スラリ８のほとんど全量がパネルガラス６の研磨に有効に作用するため、研磨スラリ８の使用量も少なくて済む。
【０００８】
【発明が解決しようとする課題】
しかしながら、上記の方法では、圧送あるいは自然流下によって、回転軸２の中空部１および中空部１に連通した研磨ヘッド４の貫通孔３を通過する研磨スラリ８は、回転軸２の回転により発生する遠心力作用により、回転軸２の中空部１の内壁面および研磨ヘッド４の貫通孔３の内壁面に押し付けられる。ここで、圧送あるいは自然流下による研磨スラリ８の下方への流動力に比して、回転軸２の回転により研磨スラリ８が受ける遠心力作用が大きくなると、研磨スラリ８が回転軸２の中空部１の内壁面および研磨ヘッド４の貫通孔３の内壁面に付着し、研磨スラリ８の円滑な圧送あるいは自然流下が阻害されて、研磨ペレット５とパネルガラス６との当接面７に研磨スラリ８を確実に供給することができないという問題が生じる。
【０００９】
また、供給される研磨スラリ８の粘度が高い場合には、遠心力作用による影響に加え、研磨スラリ８の粘性による回転軸２の中空部１の内壁面および研磨ヘッド４の貫通孔３の内壁面への摩擦抵抗が大きくなるために研磨スラリ８の下方への流動力が減殺され、研磨スラリ８の中空部１の内壁面や貫通孔３の内壁面への研磨スラリ８の付着が加勢されて、ついには中空部１や貫通孔３が閉塞される結果、研磨スラリ８が円滑に供給されず研磨不良が発生し、また研磨スラリ８が研磨ヘッド４の貫通孔３と回転軸２の中空部１を逆流してトラブルを引き起こす原因にもなる。
【００１０】
このトラブルの防止を目的としたメンテナンスのために研磨装置の運転停止が多くなって稼働率が低下するのみならず、頻繁な運転停止により研磨状態が不安定になり、この結果、研磨の品位が低下するという問題があった。
【００１１】
本発明は、上記の課題に鑑みなされたもので、研磨スラリの供給が阻害されたり、供給された研磨スラリが逆流することなく、研磨スラリの安定供給を可能としたガラス物品の研磨方法および研磨装置を提供することを目的とする。
【００１２】
【課題を解決するための手段】
上記目的を達成するために、本発明に係るガラス物品の研磨方法は、中空部を有して軸周りに回転する回転軸と、該回転軸に連結され中空部に連通する貫通孔を有して回転軸と一体回転する研磨ヘッドと、該研磨ヘッドに取り付けられた研磨ペレットとを具備する研磨装置を使用し、ガラス物品の表面に回転する研磨ヘッドの研磨ペレットを所定の圧力で当接・摺動させ、回転軸の中空部および研磨ヘッドの貫通孔を通じて研磨ペレットとガラス物品との当接面に研磨スラリを供給しながらガラス物品を研磨するガラス物品の研磨方法において、前記回転軸の中空部内に、非回転状態に設けられた研磨スラリ供給管を通じて研磨ペレットとガラス物品との当接面に研磨スラリを供給することを特徴とする。
【００１３】
本発明のガラス物品の研磨方法によれば、回転軸の中空部に、研磨スラリ供給管を非回転状態に内設させ、この研磨スラリ供給管を通じて研磨スラリを研磨ペレットとガラス物品との当接面に供給するようにしたので、研磨スラリは回転軸の回転による遠心力作用の影響を受けず、回転軸の中空部の内壁面や研磨ヘッドの貫通孔の内壁面に付着して中空部や貫通孔を閉塞させることがなく、研磨スラリを安定して供給することができる。
【００１４】
また、本発明のガラス物品の研磨装置は、中空部を有して軸周りに回転する回転軸と、回転軸に連結され中空部に連通する貫通孔を有して回転軸と一体回転する研磨ヘッドと、研磨ヘッドに取り付けられた研磨ペレットとを具備し、ガラス物品の表面に研磨ペレットを所定の圧力で当接・摺動させ、回転軸の中空部および研磨ヘッドの貫通孔を通じて研磨ペレットとガラス物品との当接面に研磨スラリを供給しながらガラス物品を研磨するガラス物品の研磨装置において、前記回転軸の中空部内に非回転状態に取り付けられ、一端が開口し、他端が研磨スラリ供給源に連通する研磨スラリ供給管を設けてなることを特徴とする。
【００１５】
本発明のガラス物品の研磨装置によれば、研磨スラリ供給管を回転しないように回転軸の中空部に内設し、この研磨スラリ供給管を通じて研磨ペレットとガラス物品との当接面に研磨スラリを供給するように構成したので、研磨スラリは回転軸の回転による遠心力作用の影響を受けず、研磨スラリ供給管の内壁面に研磨スラリが付着せず、研磨スラリ供給管を閉塞させることがない。この結果、研磨スラリが安定して供給される。
【００１６】
また、本発明のガラス物品の研磨装置は、研磨スラリ供給管が、回転軸の中空部に軸受けを介して非回転状態に内嵌されていることを特徴とする。
【００１７】
本発明のガラス物品の研磨装置によれば、軸受けによって研磨スラリ供給管は回転軸の回転トルクによる影響から隔離されるので、研磨スラリ供給管内を流動する研磨スラリは回転軸の回転による遠心力作用の影響を受けず、研磨スラリ供給管の内壁面に付着せず、研磨スラリ供給管に閉塞を生じない。
【００１８】
なお、本発明のガラス物品の研磨方法および研磨装置は、研磨されるガラス物品の表面形状が平面、曲面の別を問わず適用可能である。
【００１９】
【発明の実施の形態】
以下に、本発明のガラス物品の研磨方法を、図面を参照して説明する。
【００２０】
本発明のガラス物品の研磨方法を、陰極線管用パネルガラスの研磨に適用した場合の一例を示す。このパネルガラスの研磨に用いる研磨装置は、図１に示すように、軸周りに回転する回転軸１１と、回転軸１１と一体回転する研磨ヘッド１２と、研磨ヘッド１２の表面に取り付けられた研磨ペレット１３とを具備する。
【００２１】
回転軸１１は、中空部１４を有する管状体であり、回転駆動手段（図示省略）によって軸周りに回転可能に構成されている。
【００２２】
研磨ヘッド１２は回転軸１１の一端に接続されて回転軸１１と一体回転するように構成され、中心部に回転軸１１の中空部１４に連通する貫通孔１５を有し、表面に研磨ペレット１３が取り付けられている。
【００２３】
研磨ペレット１３は鋼鉄製、ラバー製、合成繊維製などの凸状体からなり、パネルガラス１６の表面に当接し、上方から所定の圧力が加えられた状態で摺動作用によってパネルガラス１６の表面を研磨する。研磨ヘッド１２と研磨ペレット１３との間には、パネルガラス１６に当接する全ての研磨ペレット１３が、所定の圧力でパネルガラス１６の表面に追従して当接させるためのクッション材（図示省略）を設けている。
【００２４】
パネルガラス１６は陰極線管の映像表示部を構成するガラス物品であり、研磨表面の形状が僅かな曲面をなしている。
【００２５】
研磨ペレット１３とパネルガラス１６との当接面１７に供給される研磨スラリ１８は、アランダム、パーミス、酸化セリウム等の研磨材を水と混合してスラリ状にしたものである。
【００２６】
研磨スラリ供給管１９は、例えば、ＪＩＳ呼び径（Ａ）４０の配管用鋼管（近似内径４１．６ｍｍ）からなる管状体であり、一端が開口し、他端は研磨スラリ供給源（図示省略）に連通しており、開口端側がベアリング２０を介して回転軸１１の中空部１４内に非回転状態に取り付けられている。研磨スラリ供給管１９とベアリング２０との間には、研磨スラリ１８の飛散等によりベアリング２０が損耗等の損傷を受けないように保護障壁（図示省略）を設けている。ベアリング２０には、耐腐食性の材料からなるボールベアリング、ころベアリング等が使用可能である。
【００２７】
回転軸１１の中空部１４に内嵌される研磨スラリ供給管１９は、その開口端が研磨されるガラス物品に接触しないように設置するのは勿論であるが、研磨スラリ１８が回転軸１１の中空部１４の内壁面や研磨ヘッド１２の貫通孔１５の内壁面に付着するのを避けるために、その開口端が回転軸１１と研磨ヘッド１２との接続位置と略同一あるいは下方になるように設置することが好ましい。
【００２８】
次に、上記ガラス物品の研磨装置を用いて陰極線管用のパネルガラスを研磨するガラス物品の研磨方法の一例を示す。
【００２９】
上記のガラス物品の研磨装置を用いて、パネルガラス１６の表面に回転する研磨ヘッド１２の研磨ペレット１３を５００〜８００ｇ／ｃｍ２の圧力で当接・摺動させ、回転軸１１の中空部１４内の研磨スラリ供給管１９を通じて、研磨ペレット１３とパネルガラス１６との当接面１７に、水とアランダムからなる濃度が６５±５質量％の研磨スラリ１８を７０リットル／分の流量で供給しながら研磨し、この一連の作業を１年間行った。
【００３０】
上記期間中、研磨スラリ１８の流量は上記範囲でほぼ安定して供給された。さらに上記期間中、従来、研磨スラリ１８の付着や閉塞で３〜６ヶ月毎に行っていたメンテナンス作業を行う必要がなかった。また、上記期間の研磨作業終了後に、研磨スラリ供給管１９の内径を観察したところ、研磨スラリ１８の流れを妨げるような閉塞状態は認めらなかった。
【００３１】
なお、上記の実施例では、表面形状が曲面のパネルガラス１６を研磨する場合を示しており、研磨ペレット１３とパネルガラス１６との当接面１７が曲面であることから研磨ヘッド１２への研磨ペレット１３の取り付け面は曲面であるが、表面形状が平面のガラス物品を研磨する場合は、研磨ペレット１３の取り付け面が平面であること以外は、上記パネルガラス１６を研磨する場合と同じ構成である。研磨スラリ供給管１９への研磨スラリ１８の供給方法は圧送あるいは自然流下に限るものではなく研磨スラリ１８の流動性に応じた方法を適宜選択することができる。
【００３２】
【発明の効果】
本発明に係るガラス物品の研磨方法および研磨装置は、上記の通り構成したので、研磨スラリ供給管の内壁面に研磨スラリが付着せず、研磨スラリ供給管を閉塞させることがなく、その結果、研磨スラリは長期に亘り安定して供給され、ガラス物品の研磨に有効に作用するので、長期間安定して高品位な研磨を行うことが可能となり、しかも研磨スラリの使用量も減少させることができ高い表面品位のガラス物品を高効率で安価に製造が可能となる実用上優れた効果を奏するものである。
【図面の簡単な説明】
【図１】本発明に係るガラス物品の研磨装置の要部説明図。
【図２】従来のガラス物品の研磨装置の要部説明図。
【符号の説明】
１、１４  中空部
２、１１  回転軸
３、１５  貫通孔
４、１２  研磨ヘッド
５、１３  研磨ペレット
６、１６  パネルガラス
７、１７  当接面
８、１８  研磨スラリ
９、２１  自在継手
１９  研磨スラリ供給管
２０  ベアリング
【図１】
2004188537.tif 000003
【図２】
2004188537.tif 000004